(57)【要約】  本発明は、フラッシュ型エアデータシステム（ＦＡＤＳ）の詰まった圧力ポート（内側ポート及び外側ポート）及び/又は誤った圧力測定を実時間で検出及び分離するための方法に関する。圧力ポートは外側円と内側円の周囲に沿って存在し、また、最も内側のポートがノーズキャップの中心に位置する。マッハ数と迎角と横滑り角の異なる複数の飛行条件について二つの近接するポート間で生じ得る最大圧力差が、まず広範なシミュレーションを通じて求められる。飛行中に各圧力ポートの読取値が、対応する円のそのポートに最近接の二つのポートと所定の閾値に対して比較される。プロセッサの一回のマイナーサイクル計算時間の期間にわたって通常予測されるよりも大きな変化を検出することによって、故障したポートの対が更に分離される。マッハ＞１とマッハ＜１について二組の閾値が使用される。
2021524013.tif 000002
【特許請求の範囲】
【請求項１】
フラッシュ型エアデータシステム（ＦＡＤＳ）の故障を検出及び分離するためのシステムであって、
宇宙船のノーズキャップと面一の十字型の複数の圧力ポートと、
前記複数の圧力ポートから表面圧力を測定するために気送管によって各圧力ポートに接続された少なくとも三つの圧力トランスデューサと、
前記圧力トランスデューサにそれぞれ接続された複数のＦＡＤＳセンサインタフェースモジュール（ＦＳＩＭ）と、
前記ＦＳＩＭに接続されたデジタル信号処理（ＤＳＰ）プロセッサに基づいたＦＡＤＳ電子機器と、
直接接続と交差ストラップ接続で前記ＦＡＤＳ電子機器の出力部に接続されたミッション管理コンピュータ（ＭＭＣ）と、を備え、
前記ＤＳＰプロセッサ及び前記ＭＭＣが、
各圧力ポートについて二つの最近接の圧力ポートとの間の少なくとも三つの圧力読取値を所定の閾値に対して相互比較することによって、前記複数の圧力ポートから故障した圧力ポートを検出することと、
測定された表面圧力が前記所定の閾値を超えている場合に、詰まった又は故障した圧力ポートを分離することと、を行うように構成されている、システム。
【請求項２】
軌道での空力加熱段階中にセンサが受ける温度を低減するための特定の長さの気送管が選択されている、請求項１に記載のシステム。
【請求項３】
前記圧力ポートが外側ポートと内側ポートに分類され、前記外側ポートが前記宇宙船のノーズキャップの外側円の周囲に沿って存在し、前記内側ポートが前記宇宙船のノーズキャップの内側円に沿って存在し、前記ノーズキャップの中心に最も内側の中心ポートが位置する、請求項１に記載のシステム。
【請求項４】
最大二つの水平ポート及び二つの垂直ポートの詰りを許容するために圧力ポートレベルで冗長性が与えられている、請求項１に記載のシステム。
【請求項５】
前記ＦＡＤＳ電子機器と前記ミッション管理コンピュータの両方に二重冗長性が与えられていて、圧力ポートと圧力センサとＦＳＩＭパッケージとＦＡＤＳ電子機器とミッション管理コンピュータの冗長性が、該圧力ポートと圧力センサとＦＳＩＭパッケージとＦＡＤＳ電子機器とミッション管理コンピュータのうちいずれか一つの故障がシステム全体の性能に影響を与えないようにしている、請求項１に記載のシステム。
【請求項６】
フラッシュ型エアデータシステム（ＦＡＤＳ）の圧力ポートと圧力トランスデューサの故障を検出及び分離するための方法であって、
各円の各圧力ポートについて二つの最近接の圧力ポートとの間の少なくとも三つの圧力読取値を所定の閾値に対して相互比較することによって、圧力ポートにおいて故障した圧力センサを検出することと、
測定された圧力がプロセッサの一回の計算更新サイクル時間中の所望の閾値よりも大きい場合に、詰まった又は故障した圧力トランスデューサを分離することと、を備え、
故障した圧力ポートの位置に応じて前記二つの最近接の圧力ポートが選択され、一つ及び／又は二つのポートの故障後に、故障したポートに応じて前記二つの最近接の圧力ポートの定義が変更される、方法。
【請求項７】
慣性航法装置（ＩＮＳ）が導出したマッハ数に基づいて、二組の閾値がマッハ＞１とマッハ＜１での切り替えのために使用される、請求項６に記載の方法。
【請求項８】
マッハ数と迎角と横滑り角の異なる複数の飛行条件についての二つの近接するポート間の最大圧力差がまず広範なシミュレーションを通じて求められる、請求項６に記載の方法。
【請求項９】
２０ミリ秒の計算時間にわたる圧力閾値が１０００Ｐａである、請求項６に記載の方法。
【発明の詳細な説明】
【技術分野】
【０００１】
本発明は、フラッシュ型（埋め込み型、面一型）エアデータシステムの分野に係り、フラッシュ型エアデータシステム（ＦＡＤＳ，ｆｌｕｓｈ  ａｉｒ  ｄａｔａ  ｓｙｓｔｅｍ）の詰まった圧力ポート及び／又は誤った圧力測定の実時間での検出及び分離に関する。本発明は、ＦＡＤＳを用いる再突入型ビークル、戦闘機、旅客機、惑星探査船のＦＡＤＳにおいて有用である。
【背景技術】
【０００２】
ＦＡＤＳは、ビークルのノーズコーンと面一の圧力ポートからの表面圧力測定を用いて迎角、横滑り角、マッハ数、動圧等のエアデータパラメータを生成する。こうしたエアデータパラメータは、実時間制御、突風荷重軽減等のために再突入型ビークルの誘導制御システムによって用いられる。再突入型ビークルは、迎角を調節することによって、ビークルに作用する空力加熱及び構造負荷を制御する。迎角の制御は再突入中において極めて重要である。マッハ数と動圧は、ゲインスケジュールや、姿勢制御システムから空力制御表面に対する制御の切り替えに用いられる。飛行の全段階におけるエアデータパラメータの測定が、再突入型ビークルにとって必須である。
【０００３】
ＦＡＤＳは、ビークルのノーズコーン上の圧力ポートからの表面圧力測定に依拠しているので、こうした圧力測定に誤りがないことが必須である。しかしながら、圧力トランスデューサの故障や、着氷や異物による圧力ポートの詰りの結果として、圧力測定の誤りが生じ得る。詰まった圧力ポートや故障したトランスデューサは、推定エアデータパラメータが真の値から顕著に逸脱することをもたらし得て、最終的には制御不能、ビークルの故障、ミッション失敗に繋がり得る。ＦＡＤＳ推定の精度及び信頼性を向上させるために、詰まった圧力ポートや故障したトランスデューサをＦＡＤＳの計算から除外することが必須である。これには、搭載コンピュータでの実施について計算が面倒でなく効果的である革新的な故障検出及び分離（ＦＤＩ，ｆａｕｌｔ  ｄｅｔｅｃｔｉｏｎ  ａｎｄ  ｉｓｏｌａｔｉｏｎ）が要される。
【０００４】
特許文献１には、人工知能に基づいたエアデータシステムの故障分離方法及び装置が記載されている。この文献は人工知能に基づいたエアデータシステムに特化している。この文献では、ニューラルネットワーク等の形式の人工知能アルゴリズムを用いて圧力測定値を組み合わせて、グローバルエアデータパラメータを生成する。出力されたエアデータパラメータを、圧力ポートからのいくつかの圧力読取値と共に用いて、測定された各圧力読取値の推定値を生成する。推定圧力値と測定圧力値との間の差を用いて、ポートが故障していることを示す。従って、これは、圧力ポートの数の分だけ多数のニューラルネットワークを要する反転法である。圧力ポートが９個の場合、エアデータパラメータを計算するのに用いられるニューラルネットワークに加えて、９個の追加のニューラルネットワークが、９個のポートでの圧力を推定するのに必要とされる。従って、この方法は、ＦＤＩ目的でＦＡＤＳの入力パラメータ、つまり圧力を扱うので、逆モデルを必要とする。
【０００５】
特許文献２には、航空機用の人工知能に基づいたエアデータシステムの故障分離の方法及び装置が記載されている。人工知能を用いてエアデータパラメータを生成するエアデータシステムにおける故障分離を提供する方法は、静圧等の複数の測定値の関数としてエアデータパラメータを生成することを含む。次いで、生成したエアデータパラメータの関数として、複数の測定値の各々の推定値を生成する。次いで、各測定値をそれに対応する推定値と比較して、測定値とそれに対応する推定値との間の差が閾値を超えていないかどうかを決定し、その測定値を与えたデバイスの故障を示す。人工知能アルゴリズムはニューラルネットワークやサポートベクトルマシンであり得る。エアデータシステムはＦＡＤＳであり得る。エアデータパラメータは、航空機の迎角、横滑り角、マッハ数、全圧、全静圧であり得る。複数の測定値は、動翼の位置、動翼の負荷、力、離陸時のビークルの質量、ビークルの質量バランス、残存燃料の質量、エンジン推力、衛星情報、高度、大気温度、ビークルの加速、ビークルの姿勢、又は着陸装置の位置を示す測定値を含み得る。特許文献２は特許文献１と同じ発明者によるものである。
【０００６】
特許文献３には、相互依存圧力の独立した測定から導出されたエアデータパラメータの改善した精度及び範囲を得るための方法及び装置が記載されている。この文献は、航空機用のシステムレベルエアデータパラメータ、例えば、航空機の迎角（ＡＯＡ，ａｎｇｌｅ‐ｏｆ‐ａｔｔａｃｋ）及び／又は横滑り角（ＡＯＳ，ａｎｇｌｅ‐ｏｆ‐ｓｉｄｅ  ｓｌｉｐ）を計算する方法を与え、複数の局所的静圧ｐｉを測定することを含む。次いで、複数の局所的静圧ｐｉ、予測されたシステム静圧Ｐｓｐｒｅｄｉｃｔｅｄ、予測された衝撃圧力ｑｃｐｒｅｄｉｃｔｅｄのうちの一つの関数として、複数の無次元の圧力比をそれぞれ生成する。次いで、生成した複数の無次元の圧力比の関数として、システムレベルエアデータパラメータを計算する。その方法を実施するように構成されたエアデータコンピュータを有するエアデータシステムも開示されている。エアデータシステムはＦＡＤＳ又は他の種類のエアデータシステムであり得る。上記発明は、エアデータの計算の精度及び信頼性を向上させるために無次元の圧力比を用いるものであって、入力圧力を直接扱うものではない。
【０００７】
特許文献４には、回転翼機用のエアデータシステム及び方法が記載されている。そのエアデータシステムは、略０．０２ノットという低い気流速度を測定することができる複数の気流センサに管を介して接続された複数のフラッシュ型ポートを含む。フラッシュ型ポートは、回転翼のダウンウォッシュの影響を低減するように回転翼機の主回転翼軸の周りと回転翼ハブの下に配置される。フラッシュ型ポートと管は、空気が気流センサ内に流れるようにして、複数の気流センサが、回転翼機を取り囲む気流の横風成分の速度及び方向を測定することを可能にする。上記発明は、回転翼機用のＦＡＤＳに限定される。上記発明ではＦＡＤＳの故障検出及び分離法については何ら言及されていない。
【０００８】
特許文献５には、局所的なエアデータパラメータを決定するためにニューラルネットワークを採用した多機能エアデータプローブが記載されている。そのプローブは、複数の圧力を感知するための複数の圧力感知ポートを有するバレルを含む。圧力感知ポートに結合された計器が、複数の圧力に関する電気信号を提供する。計器に結合されたニューラルネットワークが、複数の圧力に関する電気信号を入力として受信して、それに応答して、ニューラルネットワークが、エアデータ感知プローブについての少なくとも一つの局所的エアデータパラメータを示す電気信号を出力として提供する。上記発明は、エアデータパラメータについてニューラルネットワークと共に測定圧力を利用する。この目的のためには、ニューラルネットワークのオフライントレーニングが必要とされる。更に、この文献には故障検出及び分離法について何ら言及されていない。
【０００９】
特許文献６には、分子光学エアデータシステム（ＭＯＡＤＳ，ｍｏｌｅｃｕｌａｒ  ｏｐｔｉｃａｌ  ａｉｒ  ｄａｔａ  ｓｙｓｔｅｍ）が記載されている。ＭＯＡＤＳは、気団の風速、方向、密度及び温度を直接測定する。それら測定値から、完全な組のエアデータプロダクトを決定することができる。ピトー管とは対照的に、ＭＯＡＤＳは高仰角において動作することができる。適切な構成では、ＭＯＡＤＳは、９０度の仰角においてエアデータプロダクトを測定し続けることができる。ＭＯＡＤＳ計器は埋め込み型（面一）設計であり、レーダー断面を生じさせる航空機の突起が存在しないので、低被観測性になっている。また、ＭＯＡＤＳは機体に依存せず、その依存性の無さに起因して較正、再較正、点検にあまりコストがかからない。そのシステムはファブリ・ペロー干渉計を用いて、空気分子及びエアロゾルによって後方散乱されたレーザー光から（非コヒーレント）ドップラーシフトを検出する（レイリー・ミー散乱）。信号を提供するのに用いられるレーザーは、２６６ｎｍの紫外線で動作する短波長を利用し、人間の目には見えず、大気によって急速に吸収される。このシステムは、エアロゾルが利用可能である場合にはエアロゾルを活用するものであるが、同様のエアデータシステム技術に対するＭＯＡＤＳの顕著な利点は、エアロゾルが存在しない澄み切った空気（空気分子のみ）における測定を行う性能であり、これが、密度及び温度を測定する性能も与える。上記発明は、レーザー光及びファブリ・ペロー干渉計を用いて、空気分子及びエアロゾルによって後方散乱されたレーザー光から（非コヒーレント）ドップラーシフトを検出する（レイリー・ミー散乱）。そして、この情報がエアデータ生成に用いられる。しかしながら、この文献には故障検出及び分離法について何ら言及されていない。
【００１０】
特許文献７／特許文献８／特許文献９には、ＦＡＤＳの圧力感知における故障の検出及び分離のためのシステム及び方法が記載されている。該文献は、圧力感知システムの圧力ポート及び圧力トランスデューサの故障を検出及び分離するための方法に関し、５レベルの故障検出、つまり、測定圧力に対する三重モジュール式冗長（ＴＭＲ，ｔｒｉｐｌｅ  ｍｏｄｕｌａｒ  ｒｅｄｕｎｄａｎｔ）チェックを含み、次いで、飛行段階の特定の時点において測定された表面圧力が所望の範囲内に存在しているかどうかを粗いレベルで決定し、測定された表面圧力に対する一定の圧力及び比率を調べて、圧力ポートの完全な又は部分的な詰りを特定する。最終チェックは、ビークルのノーズキャップの垂直子午線及び水平経線に沿って存在する圧力ポートの所定の組み合わせから迎角及び横滑り角の推定値の一つ以上の構造化された組を生成し、迎角及び横滑り角の推定値の一つ以上の構造化された組に基づいて垂直子午線及び水平経線における圧力ポート及び圧力トランスデューサの故障を検出及び分離することに基づくものである。上記発明は、迎角及び横滑り角の推定値の構造化された組に主に依拠するものであり、ＦＡＤＳの基本入力である圧力を扱うものではない。上記発明は５レベルのＦＤＩチェックを必要とする。上記発明の故障検出及び分離は、１０個の迎角推定値と４０個の横滑り角推定値の比較を要する。
【００１１】
非特許文献１には、航空機のノーズからの離散的な圧力分布を、静圧、動圧、マッハ数、迎角及び横滑り角を含む一組のエアデータパラメータに変換するのに用いられる空気力学及びニューラルネットワークモデルの組み合わせが記載されている。合計２０個のニューラルネットワークがエアデータ推定に用いられる。合計１１個の圧力ポートがこの文献では用いられている。５個又は６個の圧力ポートの組を扱うニューラルネットワークが、エアデータ推定値の生成のために開発されている。まず、全ての組からのエアデータ推定値の平均を取る。推定値の平均からの或る組のエアデータ推定値の分散を見ることによって、故障検出が行われる。
【００１２】
非特許文献２には、圧力ポート故障の存在下におけるニューラルネットワークＦＡＤＳの性能が記載されている。システムは１１個の圧力ポートを有する。入力信号として５個又は６個の圧力を有するニューラルネットワークの組が開発されている。異なる圧力組からの推定値を平均化して、最良の推定値を与える。故障検出については、エアデータパラメータの推定値に関連するＦＡＤＳ圧力の組を、逆相関関係を用いて計算する。そして、表面圧力の測定値と計算値との間の残差の二乗の和が得られる。故障したポートの検出及び分離のためにカイ二乗法を用いるフィッティング試験の統計的良好性が用いられる。
【００１３】
非特許文献３には、計算されたエアデータパラメータの多数の冗長な値の中から正しい値を選択するための故障指標ベクトル及びシンボリック・リーズニングの使用が記載されている。パラメータの冗長な値を一度に二つ組み合わせて、その絶対差を計算する。これらの差の特定の順序での配置が差ベクトルをもたらす。「０」を示すシンボルによって閾値束縛条件を、「１」を示すシンボルによって閾値非束縛条件をそれぞれ表すことで、差ベクトルと一対一の対応関係を有するこれら二つのシンボルのベクトルを得ることができる。パラメータの冗長な値の組のうちの誤った値に対応して、二つのシンボル要素の特有のベクトルが存在する。これが、その誤った値に特有の、つまりはその値を計算するのに用いられた一対の開口に特有の故障指標ベクトルと称される。各ベクトルは、特定の開口の対の故障を示す標準的な故障指標ベクトルである。開口の対との関係におけるこれらシンボルのベクトル各々の固有の特性が、故障管理の目的で用いられる。上記方法は、開口対が誤ったエアデータ推定に寄与することを示す。
【００１４】
非特許文献４には、ポートにおける圧力残差の統計的性質に基づいた故障検出法が記載されている。そのアルゴリズムは、各ポートについて測定された圧力データとモデル予測値との間の残差の評価を要する。この文献ではカイ二乗分析と加重最小二乗法に基づいた方法が用いられている。圧力残差に対するカイ二乗検定が圧力ポートの故障を検出するのに用いられる。故障が検出されると、その故障の影響が加重最小二乗法を用いて排除される。この文献では、個々の圧力残差はガウス分布していることに留意されたい。従って、所定のデータフレームについて、（分散で割ることで）スケーリングされた残差の二乗和は、Ｎ‐６自由度でカイ二乗変数として分布していて、ここで、Ｎはポートの総数である。残差は、そこから計算される五つのパラメータに関係しているので、自由度は５に減少する。それらのパラメータは、エアデータ状態、動圧、迎角、横滑り角、自由流静圧、較正パラメータである。圧力残差の統計的性質は、多数の飛行データから実証される。サンプル分散は、多数の飛行からのほぼ５０万のデータフレームを用いて評価されたものであることに留意されたい。圧力残差の統計的性質のこの評価は、面倒なものとなり得て、システムの多数の飛行試験の後においてのみ利用可能となる。
【００１５】
要約すると、従来技術は多くの制限を有している。従来技術の主な欠点は、圧力ポートにおける圧力値を推定するのに逆モデルに依拠していることである。これがＦＤＩアルゴリズムを複雑にする。また、圧力残差の分散等の統計的特性の広範な検証が従来技術では必要とされる。こうした制限を解消するために、近接ポート間の圧力パターンを用いてＦＡＤＳの誤った圧力測定を検出するための新規方法を開発した。更に、本方法は、システムの冗長構成を特徴として、圧力センサの詰り、圧力センサの故障、センサ電子機器の故障、及び処理電子機器の故障に耐えることができ、航空宇宙船（ビークル）の制御誘導システムによって使用される信頼性のあるエアデータ出力を提供することができる。
【先行技術文献】
【特許文献】
【００１６】
【特許文献１】米国特許第７２５７４７０号明細書
【特許文献２】英国特許第２４１９６７３号明細書
【特許文献３】米国特許第７２１３４５４号明細書
【特許文献４】米国特許第７２８４４２０号明細書
【特許文献５】米国特許第７３７９８３９号明細書
【特許文献６】米国特許出願公開第２００３／０２１９２５２号明細書
【特許文献７】米国特許第８９３００６２号明細書
【特許文献８】印国特許第２７４８５７号明細書
【特許文献９】国際出願第ＰＣＴ／ＩＮ２００９／０００３４９号
【非特許文献】
【００１７】
【非特許文献１】T.J. Rohloff, S.A. Whitmore and I. Catton, “Fault tolerant neural network algorithm for flush air data sensing”, Journal of Aircraft, Vol. 36, Issue 3, pp. 541-549, May 1999
【非特許文献２】T.J. Rohloff and I. Catton, “Fault tolerance and extrapolation stability of a neural network air data estimator”, Journal of Aircraft, Vol. 36, Issue 3, pp. 571-576, May 1999
【非特許文献３】C.V. SrinathaSastry, K.S. Raman and B. LakshmanBabu, “Failure management scheme for use in a flush air data system”, Aircraft Design, Vol. 4, pp. 151-162, 2001
【非特許文献４】Stephen A. Whitmore and Timothy R. Moes, “Failure detection and fault management techniques for a pneumatic high angle of attack Flush Air Data System (Hi-FADS)”, NASA Technical Memorandum-4335
【発明の概要】
【発明が解決しようとする課題】
【００１８】
ＦＡＤＳは、ビークルのノーズコーン上の圧力ポートからの表面圧力測定に依拠しているので、こうした圧力測定に誤りがないことが必須である。しかしながら、圧力トランスデューサの故障や、着氷や異物による圧力ポートの詰りの結果として、圧力測定の誤りが生じ得る。詰まった圧力ポートや故障したトランスデューサは、推定エアデータパラメータが真の値から顕著に逸脱することをもたらし得て、最終的には制御不能、ビークルの故障、ミッション失敗に繋がり得る。ＦＡＤＳ推定の精度及び信頼性を向上させるために、詰まった圧力ポートや故障したトランスデューサをＦＡＤＳの計算から除外することが必須である。この要求が、搭載コンピュータでの実施について計算が面倒でなく効果的であるＦＤＩ方法の開発に繋がった。
【００１９】
本発明の主たる課題は、単純であって搭載（オンボード）実施に適するように提案されたＦＤＩ方法を開発することである。
【００２０】
本発明の他の課題は、入力圧力を直接扱うことで、各ポートにおける圧力推定等の逆モデル計算が必要されず、ＦＤＩの目的にとって有利であるＦＤＩ方法を開発することである。
【００２１】
本開示の上記の特徴及び他の特徴は、添付図面と共に以下の説明及び添付の特許請求の範囲からより完全に明らかとなるものである。図面が、本開示に係るいくつかの実施形態のみを示すものであって、その範囲を限定するものではないことを理解してもらった上で、以下、添付図面を用いて本開示の追加的な仕様及び詳細を説明する。
【図面の簡単な説明】
【００２２】
【図１】圧力ポートの構成、及び、内側ポートと外側ポートの分類。
【図２】ＦＡＤＳの多様なモジュール間のインタフェース。
【図３】ＦＡＤＳの冗長構成。
【図４ａ】近接ポート間の圧力差。
【図４ｂ】近接ポート間の圧力差。
【図４ｃ】近接ポート間の圧力差。
【図５】中心ポートの故障検出（ポート５）。
【図６】内側ポートの故障検出（ポート２、４、６、８）。
【図７】外側ポートの故障検出（ポート１、３、７、９）。
【図８】二回の故障後の中心ポートの故障検出（ポート５）。
【図９】二回の故障後の内側ポートの検出（ポート２、４、６、８）。
【発明を実施するための形態】
【００２３】
検討されるシステムは、ビークルのノーズキャップ上に位置する９個の圧力ポートを有する（図１ａ及び１ｂ）。圧力ポートの識別番号は図面にも示されている。本故障検出の新規手法では、圧力ポートを内側ポートと外側ポートに分類する。外側ポートは、ビークルのノーズキャップの外側円の周囲に沿って存在し、内側ポートは、ビークルのノーズキャップの内側円に沿って存在する。また、ノーズキャップの中心に位置する内側圧力ポートも存在する。まずは、広範なシミュレーションを通じて、マッハ数、迎角及び横滑り角の異なる複数の飛行条件について内側ポート又は外側ポートの近接する二つのポートの間に生じ得る最大圧力差を求める。
【００２４】
飛行中に、各圧力ポートの読取値が、ノーズキャップの外側円又は内側円の二つの近接するポートと所定の閾値に対して比較される。中心ポートについては、内側ポート４と内側ポート６との比較を行う。この比較方法によって故障したポートの対が検出される。プロセッサの一回のマイナーサイクル計算時間の期間にわたって通常予測されるものよりも大きな変化を検出することによって、故障した圧力ポートが更に分離される。二組の閾値が用いられ、一つはマッハ＞１用であり、もう一つはマッハ＜１用である。
【００２５】
各圧力ポートは、特定の圧力ポートの位置における表面圧力を測定する三つの絶対圧力トランスデューサを有する。圧力センサが受ける温度を低下させるために、圧力ポートは管を介して圧力センサに接続される。
【００２６】
ＦＡＤＳの多様なモジュール間のインタフェースが図２に示されている。圧力ポートは、気送管を介して圧力トランスデューサに接続される。気送管の長さは、センサが受ける温度が、軌道での空力加熱段階中の限界内にあるように選択される。圧力トランスデューサの出力部は、ＦＡＤＳセンサインタフェースモジュール（ＦＳＩＭ，ＦＡＤＳ  ｓｅｎｓｏｒ  ｉｎｔｅｒｆａｃｅ  ｍｏｄｕｌｅ）に接続される。次に、センサインタフェースモジュールが、ＦＡＤＳアルゴリズムを実行するＤＳＰ（デジタル信号処理）プロセッサに基づいたＦＡＤＳ電子機器に接続される。ＦＡＤＳ電子機器の出力、つまり、エアデータパラメータは、航空宇宙船の誘導制御システムによって使用されるためにミッション管理コンピュータ（ＭＭＣ，ｍｉｓｓｉｏｎ  ｍａｎａｇｅｍｅｎｔ  ｃｏｍｐｕｔｅｒ）に送信される。
【００２７】
ＦＡＤＳの冗長構成が図３に示されている。ＦＡＤＳシステムは、エアデータ状態を計算するのに僅か５個の圧力測定値のみを必要とする。しかしながら、ポートの詰りに備えて、９個の圧力ポートが設けられている。従って、圧力ポートレベル自体での冗長性が与えられて、二つの水平ポートと二つの垂直ポートの詰りが許容可能となる。各圧力ポートは、特定の圧力ポートの位置における表面圧力を測定する三つの絶対圧力トランスデューサを有する。一つの圧力ポートに対応する読取値を得るためには一つの圧力ポートにおいて二つのセンサのみが必要とされる。従って、圧力ポートにおける一つのセンサの故障が許容可能となり、その圧力ポートから、依然として有効に使用される圧力読取値を得ることができる。
【００２８】
三つのＦＳＩＭパッケージがシステムに提供される。その各々は、各圧力ポートの一つのセンサへのアクセスを有する。システム性能に影響を与えたり、システム精度を劣化させることなく、いずれかひとつのＦＳＩＭパッケージの全体的な故障が許容可能である。また、ＦＡＤＳ電子機器とミッション管理コンピュータの両方にも二重冗長性が与えられる。直接接続と交差ストラップ接続がＦＡＤＳ電子機器とミッション管理コンピュータとの間で為される。これは、単一のＦＡＤＳ電子機器やミッション管理コンピュータの故障がシステム性能に影響を与えないことを保証するために行われる。従って、システム全体は、圧力ポート、圧力センサ、ＦＳＩＭパッケージ、ＦＡＤＳ電子機器、及びミッション管理コンピュータの冗長性を有する。
【００２９】
［ポートにおける入力圧力に対するＴＭＲチェック（ＦＤＩレベル１）］
行われる第一のＦＤＩチェックは、各圧力ポートにおける圧力トランスデューサに対するＴＭＲ論理チェックである。圧力トランスデューサが故障していない条件下において、圧力ポートにおける三つ全ての圧力読取値が閾値内で一致することが望ましい。圧力ポートにおける三つの圧力読取値の相互比較（ＴＭＲ論理）によって、圧力トランスデューサの故障を検出することができる。この手順が、９個全ての圧力ポートに対して行われる。しかしながら、このチェックは、完全に又は部分的に詰まったポートや、一つの圧力ポートにおける二つの圧力トランスデューサの同時故障を検出することはできない。
【００３０】
そこで、次のレベルのチェック、つまり、最近接チェックが行われる。
【００３１】
［近接圧力ポートの圧力パターン］
まず、広範なシミュレーションを通じて、マッハ数、迎角及び横滑り角の異なる複数の飛行条件について内側円又は外側円ポート及び中心ポートのうちの二つの近接するポート間で生じ得る最大圧力差を求める。このため、通常の軌道、上限の軌道、下限の軌道が検討される。通常の軌道、上限の軌道、下限の軌道についての圧力差の典型的な値が図４ａ、４ｂ及び４ｃに示されている。
【００３２】
［測定された圧力に対する「最近接」チェック（ＦＤＩレベル２）］
飛行中に、各圧力ポートの読取値を、対応する円の二つの最近接のポートと所定の閾値に対して比較する。中心ポートについては、内側円のポート４及び６との比較が行われる（図５ａ、５ｂ）。上述のように、この論理用の決定閾値は、再突入型ビークルの通常及び異常の飛行軌道の詳細な分析に基づいて得られる。本願の具体的な場合については、表１に与えられているようなパスカル単位での閾値レベルが用いられた。１５００Ｐａのマージンを設けて、シミュレーションを通じたこれら閾値の判定の誤りに起因して起こり得る誤ったアラームを排除する。
【００３３】
【表１】
2021524013.tif 000003
【００３４】
この比較方法によって故障したポートの対が検出される。プロセッサの一回のマイナーサイクル計算時間の期間にわたって通常予測されるものよりも大きな変化を検出することによって、故障した圧力ポートが更に分離される。二組の閾値が用いられ、一つはマッハ＞１用であり、もう一つはマッハ＜１用である。
【００３５】
・  故障した中心ポート（５）の検出（図５ａ）
‐  中心ポート（５）と内側ポート（４及び６）との間の圧力差の絶対値を得て、閾値と比較する。
‐  ＩＮＳ（慣性航法装置）導出のマッハ数に基づいて、閾値の切り替えを行う。
‐  両方の圧力差（絶対値）が閾値内にある場合には、中心ポート（５）は良好である。
‐  いずれか一方の圧力差（絶対値）が閾値を超えている場合には、そのポートの組み合わせの２個のポートが故障しているとして検出される。
【００３６】
・  故障した内側円ポート（２、４、６、８）の検出（図６ａ）
‐  内側ポート同士（２‐４、４‐８、８‐６、６‐２）の間の圧力差の絶対値を得て、閾値と比較する。
‐  ＩＮＳ導出のマッハ数に基づいて、閾値の切り替えを行う。
‐  全ての圧力差（絶対値）が閾値内にある場合には、全ての内側ポートは良好である。
‐  圧力差（絶対値）が閾値を超えている場合には、そのポートの組み合わせの２個のポートが故障しているとして検出される。
【００３７】
・  故障した外側円ポート（１、３、７、９）の検出（図７ａ）
‐  外側ポート同士（１‐３、３‐９、７‐９、１‐７）の間の圧力差（絶対値）を得て、閾値と比較する。
‐  ＩＮＳ導出のマッハ数に基づいて、閾値の切り替えを行う。
‐  全ての圧力差（絶対値）が閾値内にある場合には、全ての外側ポートは良好である。
‐  任意の２個の外側ポート間の圧力差（絶対値）が閾値を超えている場合には、そのポートの組み合わせの２個のポートが故障しているとして検出される。
【００３８】
・  故障した対の検出後の故障したポートの分離
‐  ポートの圧力を、以前のマイナーサイクルで測定された値と比較する。
‐  ２０ミリ秒のマイナーサイクルにわたるポートの現在の圧力値と以前の圧力値との間の差の絶対値が１０００Ｐａよりも大きい場合には、現在のマイナーサイクルにおいてそのポートが瞬時に分離されて、エアデータの計算はそのポート無しで行われる。
【００３９】
［・  一つのポートの故障後のＦＤＩ論理］
‐  圧力ポートの分離後に、近接するポートと比較されるポートの定義を変更して、更なる故障検出及び分離を行う。
‐  内側／外側の円のポートについては、故障したポートと直径方向に対向するポートのＦＤＩ論理は同じままである。
‐  最初の故障がポート４又は６で生じた場合、中心ポートのＦＤＩは、図５ｃに示されるように、ポート５をポート２及び８と比較することによって行われる。
‐  内側ポートの故障の場合、残りの二つのポートが、故障したポートと直径方向に対向するポートと比較され、また、中心ポートと比較され（中心ポートが故障していない場合）又はそれらポートに最近接の外側円ポートと比較される（最近接の外側円ポートが故障していない場合）。この様子は、ポート２、ポート８が故障した例示的な場合についてそれぞれ図６ｂ、図６ｃに示されている。
‐  外側ポートの故障の場合、残り二つのポートが、故障したポートと直径方向に対向するポートと比較され、また、それらポートに最近接の内側円ポートと比較される。この様子が、ポート１、ポート９が故障した例示的な場合についてそれぞれ図７ｂ、図７ｃに示されている。
‐  マッハ数に基づいて、閾値の切り替えが行われる。
‐  二つ目の故障を分離するために、前回のマイナーサイクルから１０００Ｐａの変化が用いられる。
‐  ＦＤＩレベル１チェックによって既に分離されているポートについては、ＦＤＩレベル２チェックは行われない。
【００４０】
［・  二つのポートの故障後のＦＤＩ論理］
‐  二つの圧力ポートの分離後にも、近接するポートと比較されるポートの定義を変更して、更なる故障検出及び分離を行う。
-  中心ポートのＦＤＩレベル２チェックについては、図８に示されるように、中心ポートが、（２個の故障した内側ポートのＴＭＲ分離後に）良好である残り二つの内側ポートと比較される。
‐  中心ポートの故障の分離については、故障した対が検出されて、以前のサイクルのＦＤＩレベル２フラッグステータスが使用される。ＴＭＲによって２個よりも多くの内側ポートが分離されている場合には、中心ポートの分離は、以前のサイクルの圧力との比較によって行われる。
‐  内側ポートについては、二つの近接するポートが故障している場合、中心ポート、内側ポート又は外側ポートのいずれかとなり得る残りの二つの近接するポートとの比較が行われる。これが、圧力ポート４に近接するポートが故障している場合について図９ａから図９ｅに示されている。故障した対を検出した後に、１０００Ｐａの閾値に対して以前のサイクルの圧力の比較を行うことによって、更なるポート分離を行うことができる。この論理は、内側円の他のポート（２、６、８）にも拡張される。
‐  外側ポート検出（ポート１、３、７、９）については、２個の近接するポートの故障で、近接するポートが全て使い尽くされてしまうので、故障検出及び分離は、１０００Ｐａの閾値に対して以前の圧力値と比較することによって行われる。
【００４１】
本方法は、多様な故障をカバーするものであって、再突入型ビークルでの搭載実施に適している。
【図１】
2021524013.tif 000004
【図２】
2021524013.tif 000005
【図３】
2021524013.tif 000006
【図４ａ】
2021524013.tif 000007
【図４ｂ】
2021524013.tif 000008
【図４ｃ】
2021524013.tif 000009
【図５ａ】
2021524013.tif 000010
【図５ｂ】
2021524013.tif 000011
【図５ｃ】
2021524013.tif 000012
【図６ａ】
2021524013.tif 000013
【図６ｂ】
2021524013.tif 000014
【図６ｃ】
2021524013.tif 000015
【図７ａ】
2021524013.tif 000016
【図７ｂ】
2021524013.tif 000017
【図７ｃ】
2021524013.tif 000018
【図８】
2021524013.tif 000019
【図９ａ】
2021524013.tif 000020
【図９ｂ】
2021524013.tif 000021
【図９ｃ】
2021524013.tif 000022
【図９ｄ】
2021524013.tif 000023
【図９ｅ】
2021524013.tif 000024
【国際調査報告】
2021524013.tif 000025
2021524013.tif 000026